(57)【要約】【課題】装置内へ積極的に外気を導入せずに、装置内の機器の冷却性能を向上させること。【解決手段】ディスク再生装置の装置本体１０１の内部には、ディスク１４を駆動する電気モータ５や、ディスク１４に記録された情報を読み出すピックアップ６等の機器が備えられている。ディスク１４が回転すると、枠体１に設けられた空気吸入部６０から、機器が設けられている空間の空気が吸い出される。この空気は、空気導入通路３０を通ってディスク１４の中心部へ向かい、その後、ディスク１４の径方向外側へ吐出される。この空気は、空気吐出部４０Ａから機器が設けられている空間へ流れ込む。これにより、ディスク１４と蓋体２との間の空間と、機器が設けられている空間との間で空気が循環するので、装置本体内に設けられる機器の冷却性能が向上する。【選択図】        図３
2006107602.tif 000002
【特許請求の範囲】
【請求項１】
ディスクを配置する配置面を備えたディスク配置部と、
前記ディスクを回転させるディスク駆動手段と、
前記ディスクの回転にともなって生ずる差圧に基づく空気の流れに対し、前記配置面よりも下側の空気を前記配置面よりも上側に流入させるための空気吸入部と、
を含むことを特徴とするディスク再生装置。
【請求項２】
前記空気の流れを利用して差圧を生じさせる差圧生成手段と、をさらに含むことを特徴とする請求項１に記載のディスク再生装置。
【請求項３】
前記差圧生成手段は、前記ディスクの中心部から前記ディスクの外周部に向かって設けられる突起部を含むことを特徴とする請求項２に記載のディスク再生装置。
【請求項４】
前記差圧生成手段は、前記ディスクの外周部と内周部とを連通させる管状の通路を含むことを特徴とする請求項２に記載のディスク再生装置。
【請求項５】
前記差圧生成手段は、前記空気吸入部から吸引した空気を前記ディスクの中心部へ導くための空気導入通路を含むことを特徴とする請求項２に記載のディスク再生装置。
【請求項６】
前記突起部は、前記ディスクの回転方向とは反対側における前記空気導入通路の縁部近傍に設けられることを特徴とする請求項３に記載のディスク再生装置。
【請求項７】
前記ディスク配置部に設けられ、前記配置面よりも上側の空気を前記配置面よりも下側に流入させる第２の空気吸入部と、をさらに含むことを特徴とする請求項１〜６のいずれか１項に記載のディスク再生装置。
【請求項８】
前記ディスクおよび前記ディスクを配置するディスク配置部によって仕切られる一方の空間から前記ディスクの中心部へ空気を吸い込ませるための第３の空気吸入部をさらに含むことを特徴とする請求項１〜７のいずれか１項に記載のディスク再生装置。
【請求項９】
前記ディスクの回転中にこれを保護する蓋体へ前記差圧生成手段を設け、
前記ディスクおよび前記ディスクを配置するディスク配置部によって仕切られる空間のうち、発熱源が配置される第１空間の空気を前記空気吸入部から吸い出し、
吸い出した前記第１空間の空気を前記蓋体に接触させながら前記ディスクの径方向外側へ吐出して、前記第２の空気吸入部から前記第１空間へ導くことを特徴とする請求項４に記載のディスク再生装置。
【請求項１０】
前記蓋体は、前記ディスクの外側であって、前記空気吸入部と前記第２の空気吸入部との間が壁状に形成されることを特徴とする請求項９に記載のディスク再生装置。
【請求項１１】
前記ディスクと、前記蓋体における前記ディスクに対向する対向面との間隔は、前記ディスクの内周部よりも前記ディスクの外周部の方が小さいことを特徴とする請求項７または１０に記載のディスク再生装置。
【発明の詳細な説明】
【技術分野】
【０００１】
本発明は、筺体内に機器類が配置されたディスク再生装置に関する。
【背景技術】
【０００２】
光ディスク等の再生や光ディスク等に記録・再生するためのディスク再生装置は、内部に備える構成機器が発熱源となり、前記構成機器の発生する熱がディスク再生装置の性能や耐久性に大きな影響を与える。このため、ディスク再生装置では、放熱性能を向上させるための対策が施されている。例えば、特許文献１には、冷却ファンによって風路室へ外気を導入し、電子部品を取り付けた回路基板が前記風路室へ臨むように配設されるディスク再生装置が開示されている。
【０００３】
【特許文献１】特開２００３−１０００６９号公報
【発明の開示】
【発明が解決しようとする課題】
【０００４】
しかしながら、特許文献１に開示されているように冷却ファンによって外気をディスク再生装置内に導入した場合、外気とともに空気中の塵埃等もディスク再生装置内に取り込んでしまい、内部汚染を招くおそれがある。特に、ディスクから情報を読み取るピックアップ部や、ディスクに情報を記録する記録部は汚れに対して敏感であるため、単に外気を導入したのでは、これらの耐久性を低下させるおそれがある。前記内部汚染の問題を回避するため、ピックアップ部等が配置される空間を閉鎖空間とする手法もあるが、かかる方法では、放熱が不十分となる。
【０００５】
そこで、本発明は、上述した課題をその一例として解決するものであって、装置内へ積極的に外気を導入せずに、装置内の機器の冷却性能を向上できるディスク再生装置を提供することを目的とする。
【課題を解決するための手段】
【０００６】
請求項１に記載の発明は、ディスクを配置する配置面を備えたディスク配置部と、前記ディスクを回転させるディスク駆動手段と、前記ディスクの回転にともなって生ずる差圧に基づく空気の流れに対し、前記配置面よりも下側の空気を前記配置面よりも上側に流入させるための空気吸入部と、を含むことを特徴とする。
【発明を実施するための最良の形態】
【０００７】
以下、この発明につき、図面を参照しつつ詳細に説明する。なお、この発明を実施するための最良の形態によりこの発明が限定されるものではない。また、以下に説明する実施の形態における構成要素には、当業者が容易に想定できるもの、あるいは実質的に同一のものが含まれる。また、本発明は、光ディスク、磁気ディスク、光磁気ディスクその他のディスクに情報を記録し、あるいは情報を記録するディスク再生装置全般に対して適用でき、ディスクの種類は問わない。
【０００８】
（実施の形態１）
実施の形態１に係るディスク再生装置は、ディスクの回転により、前記ディスクの中心部へ前記筺体内の空気を吸い込ませ、吸い込んだ前記空気を前記ディスクの回転によって前記ディスクの径方向外側へ吐出させる機能を有する差圧生成手段を備える点に特徴がある。
【０００９】
図１は、実施の形態１に係るディスク再生装置の概要を示す全体図である。このディスク再生装置１００は、ディスクであるＣＤ（Compact Disc）やＤＶＤ（Digital Versatile Disc）等の光ディスク（以下ディスク）１４に記録された情報を再生する。なお、このディスク再生装置１００は、少なくともディスク１４に記録された情報を再生できればよく、さらにディスク１４へ情報を記録する機能を備えていてもよい。
【００１０】
ディスク再生装置１００は、装置本体１０１を内部に配置するケース体４を備える。ケース体４の外形形状は略６面体であり、ディスク１４の取り出し側にはパネル１５が備えられる。装置本体１０１は、ディスク１４の駆動手段や、ディスク１４に記録された情報を読み出す情報読み取り手段等を備えており、ディスク再生装置１００の中核をなす部分である。装置本体１０１は、ディスク駆動手段、情報読み取り手段、回路基板等の機器が取り付けられる枠体１と、枠体１に取り付けられ、ディスク保持手段の一部であるクランパ１１を支持するとともに、回転中のディスク１４を保護する蓋体２とを備える。枠体１は、例えば樹脂材料により作られる。また、蓋体２は、伝熱を考慮して熱の良導体である金属材料によって作られることが好ましいが、これに限られず樹脂材料によって製造してもよい。
【００１１】
ディスク駆動手段である電気モータ５および情報読み取り手段であるピックアップ６は、例えば金属板により構成される台座９に取り付けられる。電気モータ５は、例えばスピンドルモータ等であり、ディスク保持手段を介して、これに保持されるディスク１４を回転させる。電気モータ５は、動作中に熱を放出して発熱源となる。この実施の形態において、ディスク保持手段は、駆動側ディスク保持手段と、蓋側ディスク保持手段であるクランパ１１とで構成される。クランパ１１は略円形であり、ディスク１４から情報を読み込まない待機状態のときには、クランパ１１の外周部に張り出した鍔部が蓋体２に穿孔されたクランパ支持孔の内周部と係合する。これによって、前記待機状態において、クランパ１１は前記蓋体２に支持される。
【００１２】
駆動側ディスク保持手段は、ディスクテーブル１３と、ディスク１４の中心に穿孔された軸孔と嵌合する略円柱状のディスク保持ボス１２とで構成される。ディスクテーブル１３には磁石が組み込まれており、ディスクテーブル１３の磁石とクランパ１１の金属部の吸着力とによって、クランパ１１がディスク１４を挟持すると、ディスク１４はディスク保持手段に保持される。
【００１３】
ピックアップ６は、レーザーダイオード等の光源と、この光源からの光を収束してディスク１４に照射するレンズと、ディスク１４から反射された光を検出する光センサとを含んで構成される。そして、ピックアップ６は、ディスク１４の回転中に、その中心部から外側へ向かってディスク１４の径方向と平行に直線移動する。その過程で、ピックアップ６は、ディスク１４の情報記録面１４ｉに記録された情報を読み取る。ピックアップ６に使用されるレーザーダイオード等は発熱量の大きい半導体であり、発熱源となる。また、レーザーダイオードの耐久性はその温度に依存し、規定温度以上で使用すると耐久性が低下する。このため、ピックアップ６が備えるレーザーダイオード等の光源は、十分に冷却する必要がある。
【００１４】
台座９は、枠体１と一体に形成される取り付け台座１６に、例えばゴム等の弾性材料で作られる防振部材１７を介して取り付けられる。これによって、枠体１から台座１６、および台座９を介してピックアップ６へ伝達する外部からの振動が減衰されるので、ピックアップ６がディスク１４に記録された情報をより確実に読み取ることができる。
【００１５】
枠体１には、回路基板７が取り付けられる。回路基板７は、枠体１の外側部分であって、前記台座９とケース体４との間に配置される。回路基板７には、ＣＰＵ（Central Processing Unit：中央演算装置）やコンデンサ等の電気・電子部品８が取り付けられており、電気モータ５やピックアップ６の動作を制御したり、ピックアップ６によって読み取ったディスク１４の情報を処理したりする。ここで、回路基板７に取り付けられている電気・電子部品８は、動作中に熱を放出し、発熱源となる。
【００１６】
装置本体１０１には、ディスク１４を配置するディスク配置部であるディスクトレイ３が備えられる。ディスクトレイ３は、トレイ駆動手段であるトレイ駆動モータ１０によって駆動されて、ディスク再生装置１００のパネル１５側へ送り出される。この位置で、ディスクトレイ３に設けられる配置面３ｐにディスク１４を配置し、また、ディスクトレイ３からディスク１４を取り出す。ディスクトレイ３にディスク１４が配置されると、トレイ駆動モータ１０によってディスクトレイ３は装置本体１０１内へ引き込まれる。そして、前記ディスク保持手段によって保持された後、前記電気モータ５によって回転し、ピックアップ６により情報が読み出される。なお、本実施例においては、搬送トレイ（ディスクトレイ３）を用いたトレイローディング方式について説明するが、上述のとおり本発明の要旨を逸脱しない限りこれに限られない。すなわち搬送トレイを用いた例に限られず、例えば、オープントップタイプのディスク再生装置にも適用が可能である。
【００１７】
ここで、前記配置面の上側および下側について説明する。「配置面よりも上側」とは、配置面３ｐ（図１参照）を基準として、前記配置面３ｐにディスク１４が配置される側をいう。また、「配置面よりも下側」とは、配置面３ｐを基準として、前記配置面３ｐにディスク１４が配置される側の反対側をいう。例えば、図１においては、「配置面よりも上側」は蓋体２側となり、「配置面よりも下側」はピックアップ６や回路基板７が配置される側となる。ここで、「配置面よりも上側」、「配置面よりも下側」は、ディスクを配置する配置面を基準として定義されるものであり、ディスク再生装置１００の設置方向には影響を受けない。
【００１８】
装置本体１０１内は、ディスク１４およびディスクトレイ３によって、ピックアップ６や回路基板７が配置される側の空間（第１空間）１８1と、蓋体２側の空間（第２空間）１８2とに仕切られる。第１空間１８1には、ピックアップ６や回路基板７に取り付けられる電気・電子部品８や電気モータ５等の熱源が配置されるので、第１空間１８1の空気の温度は上昇する。しかし、装置本体１０１外部への放熱のため第１空間１８1の空気が装置本体１０１の内面と接触する面積は、第１空間１８1内の発熱量に対して小さいので、放熱が不十分となる。一方、第２空間１８2には熱源が存在しないので、第２空間１８2の空気の温度上昇はほとんどない。また、第２空間１８2の空気が装置本体１０１の内面と接触する面積は大きいので、潜在的には冷却能力が大きい。
【００１９】
本発明者らはこの点に着目し、鋭意研究を重ねた結果、第１空間１８1の昇温した空気を、冷却能力の大きい第２空間１８2へ導きここで冷却するとともに、第１空間１８1と比較して温度の低い第２空間１８2の空気を第１空間１８1へ導き効率的に第１空間１８1を冷却するという、本願発明の冷却構造を完成するに至った。これは、次のような原理に基づく。ディスク１４が回転すると、ディスク１４の表面と接触している空気は、ディスク１４の表面との摩擦力によって引きずられてディスク１４と同方向に回転する。そして、ディスク１４の表面と接触している空気は、ディスク１４の回転によって生ずる遠心力によってディスク１４の径方向外側へ放出される。このとき、ディスク１４の中心部においては圧力が低下するので、ディスク１４の中心部に向かって空気が吸い込まれ、径方向外側に吐出される流れが発生する。この流れを積極的に利用して、第１空間１８1の機器を冷却する。次に、この冷却構造について詳細に説明する。なお、次の説明においては、適宜図１を参照されたい。
【００２０】
図２は、実施の形態１に係るディスク再生装置の装置本体を示す平面図である。実施の形態１に係るディスク再生装置１００の装置本体１０１が備える蓋体２のディスク１４と対向する面には、ディスク１４の中心部へ空気を吸い込ませる差圧生成手段である突起部２０が設けられる。この突起部２０は、ディスク１４の中心部から径方向外側に向かって直線状に形成される。突起部２０は、例えば蓋体２を製造する場合には、板金加工によって蓋体２と一体で成形することができる。また、蓋体２とは別個の部材として突起部２０を用意し、これを蓋体２へ取り付けてもよい。このように、差圧生成手段を備えることによって、積極的にディスク再生装置１００の装置本体１０１内の空気を集めて、ディスク１４の外周部から吐出させることができる。その結果、装置本体１０１内に空気を循環させ、効率的に装置内の機器を冷却できる。
【００２１】
また、実施の形態１では、差圧形成手段として、さらに空気導入通路３０を蓋体２へ設ける。空気導入通路３０は、ディスク１４の中心部から枠体１に設けられる空気吸入部６０にわたって形成される。また、この空気導入通路３０は、ディスク１４側が開口した形状である。そして、この空気導入通路３０は、枠体１に設けられる空気吸入部６０から、第１空間１８1の空気をディスク１４の中心部へ空気を導く。なお、空気導入通路３０の形状は、図２の形状に限定されるものではなく、空気の流れや差圧生成効率等を考慮して、適宜変更することができる。なお、差圧生成手段として、少なくとも突起部２０を備えていれば、空気吸入部６０からディスク１４の中心部へ空気を導くことができるが、空気導入通路３０を設けることによって、より効率的に空気をディスク１４の中心部へ導くことができる。また、クランパ部の開口を密封することにより、空気の吸入効果を向上させることができる。
【００２２】
空気吸入部６０から吸い込まれた空気は、空気導入通路３０を通ってディスク１４の中心部へ導かれてから、ディスク１４の径方向外側へ吐出される。そして、空気導出通路５０へ導かれてから空気吐出部４０Ａ（第２の空気吸入部に相当する）を通って、第１空間１８1へ流れ込む。空気吸入部６０と空気吐出部４０Ａは、ディスク１４の回転軸Ｚよりも、装置本体１０１のディスク取り出し側ＥＸとは反対側に配置される。また、空気吸入部６０と空気吐出部４０Ａの空気流入口とは、ディスク１４の回転軸Ｚを中心とした場合の中心角でおよそα離れている。
【００２３】
この中心角が大きい程、高い圧力で空気を空気吐出部４０Ａへ送り込むことができ、その結果、第１空間１８1に配置されるピックアップ６や電気モータ５等の機器をより効率よく冷却できる。実施の形態１に係る装置本体１０１の空気吸入部６０と空気吐出部４０Ａとの配置では、前記中心角を比較的大きく設定できるので、第１空間１８1に配置される機器の冷却という点で好ましい。
【００２４】
前記突起部２０は、ディスク１４の回転方向（Ｒ方向）とは反対側における空気導入通路縁部３０ｔの近傍に設けられる。ここで、ディスク１４の半径をｒ1とした場合、ｒ1／２よりも小さい領域をディスク１４の中心部とし、ｒ1／２以上の領域をディスク１４の外周部とする。蓋体２には、ディスク１４の回転により径方向外側に吐出された第２空間１８2の空気を集める空気導出通路５０が設けられる。ディスクトレイ３には、前記空気導出通路５０に集められた第２空間１８2の空気を、第１空間１８1へ送り込むための空気吐出口４０が設けられる。
【００２５】
図３は、実施の形態１に係るディスク再生装置の装置本体内における空気の流れを示す模式図である。図３中、実線で示す矢印は、第２空間１８2における空気の流れを示し、破線で示す矢印は、第１空間における空気の流れを示す。第１、および第２空間１８1、１８2は、図１を参照されたい。電気モータ５によってディスク１４が図３に示す矢印Ｒ方向に回転すると、ディスク１４の表面と接触している第２空間１８2の空気が、ディスク１４の回転によって生ずる遠心力によってディスク１４の径方向外側へ放出される。このとき、ディスク１４の中心部においては圧力が低下するので、枠体１に設けられる空気吸入部６０から、第１空間１８1、すなわち、ピックアップ６や電気モータ５等の発熱により昇温した空気が、ディスク１４の中心部に向かって吸い込まれた後、ディスク１４の径方向外側へ吐出される。ここで、ディスク１４の中心部の圧力をＰｉ、外周部の圧力をＰｏとすると、Ｐｉ＜Ｐｏとなる。
【００２６】
ディスク１４の回転により径方向外側へ吐出された空気は、その過程で蓋体２と接触し、蓋体２へ放熱して冷却される。冷却された空気は、蓋体２に形成される空気導出通路５０へ集められて、ディスクトレイ３に設けられる空気吐出口４０から第１空間１８1へ送り込まれる。第１空間１８1へ送り込まれた空気の流路上には、ピックアップ６や電気モータ５その他の、第１空間１８1に配置されている発熱源が位置する。これにより、第２空間１８2で冷却された空気により、第１空間１８1に配置されている発熱源である機器が冷却される。
【００２７】
前記発熱源である機器を冷却した後の空気は、空気吸入部６０から再び第２空間１８2へ吸い出され、上述したように流れる。このように、実施の形態１に係るディスク再生装置の冷却構造では、ディスクの回転を利用してディスクおよびディスクトレイによって分割される装置本体内の空間同士で空気を循環させ、発熱源である機器が配置される空間内を冷却する。すなわち、放熱面積が大きい第２空間１８2へ昇温した第１空間１８1の空気を流し、第２空間１８2で冷却された空気を第１空間１８1へ流し、両空間で空気を循環させることで、第１空間に配置される発熱源である機器を効率的に冷却することができる。次に、実施の形態１に係るディスク再生装置の冷却構造におけるそれぞれの構成要素について説明する。
【００２８】
図４は、図２のＡ−Ａ断面図である。図５は、図２の矢印Ｘ方向から見た図である。図４の矢印Ａｉｒに示すように、ディスク１４の表面と接触している空気は、ディスク１４の表面との摩擦力によって引きずられてディスク１４と同方向（Ｒ方向）に回転する。図４に示すように、空気導入通路３０はディスク１４側が開口した形状であるため、前記空気は空気導入通路３０の開口部から侵入するおそれがある。実施の形態１では、ディスク１４の回転方向とは反対側における空気導入通路縁部３０ｔの近傍に突起部２０を設けることによって、空気導入通路３０へ前記空気が流入することを抑制する。
【００２９】
これによって、ディスク１４の表面との摩擦力によって引きずられて流れる空気と、空気導入通路３０を通ってディスク１４の中心部へ流れる空気との干渉が抑制される。その結果、ディスク１４の中心部と外周部との間の差圧を十分確保することができるので、図５に示すように、第１空間１８1内の空気を空気吸入部６０から吸い出し、空気導入通路３０を通してディスク１４の中心部へ導くことができる。ディスク１４の中心部へ導かれた空気は、ディスク１４の回転による遠心力で、ディスク１４の径方向外側に吐出される。
【００３０】
図６は、突起部の形成範囲を示す説明図である。実施の形態１においては、突起部２０が、ディスク１４の回転により中心部と外周部との間に差圧を生成して、ディスク１４の中心部へ空気を吸い込ませる差圧生成手段である。ディスク１４の表面との摩擦力によって引きずられて流れる空気が空気導入通路３０へ流入することを抑制して前記差圧を効果的に発生させるため、突起部２０の長さはできるだけ長いことが好ましい。
【００３１】
図６に示すように、突起部２０の長さは、少なくともディスク１４の外周部まで（ｌ1）とすることが好ましい。より好ましくは、ディスクトレイ１４のディスクを配置する部分における半径と略等しい長さｌ2とすることが好ましい。これは、ディスク１４の外周部側における突起部２０の端部を回りこんで空気導入通路３０へ流入する空気を抑制するためである。さらには、突起部２０の長さは、枠体１に設けられる空気吸入部６０の近傍まで（ｌ3）とすることがより好ましい。なお、突起部２０は、クランパ１１の外周部近傍から設けることが好ましい。また、突起部２０は、必ずしも連続して設ける必要はなく、複数の突起をディスク１４の中心部から外周部へ向かって設けてもよい。
【００３２】
図７（ａ）、図７（ｂ）は、突起部の他の例を示す断面図である。上記突起部２０の断面形状は、矩形あるいは正方形であるが（図４参照）、図７（ａ）に示す突起部２１のように、断面形状を略半円形状としてもよい。また、図７（ｂ）に示す突起部２２のように、断面形状が円弧と直線とで、あるいは異なる曲率の円弧を複数組み合わせて形成されるようにしてもよい。
【００３３】
図８は、図２のＢ−Ｂ断面図である。図８を用いて、空気吸入部６０と空気導入通路３０との関係、および空気の流れについて説明する。空気吸入部６０は、枠体１の側部に設けられており、空気入り口６０ｉが第１空間１８1内に、空気出口６０ｏが第２空間１８2内へ開口している。これにより、第１空間１８1と第２空間１８2とが連通する。空気導入通路３０は、空気吸入部６０の空気出口６０ｏを覆うように、枠体１へ取り付けられる。なお、空気吸入部６０は、ディスクトレイ１４に形成してもよい。また、空気吸入部６０は、枠体１およびディスクトレイ１４の両方に形成してもよい。このように、空気吸入部６０は、枠体１またはディスクトレイ１４の少なくとも一方に形成すればよい。
【００３４】
ディスク１４が回転すると、ディスク１４の中央部の圧力Ｐｉは、外周部の圧力Ｐｏよりも小さくなるので、第１空間１８1の空気を空気導入通路３０内へ吸引し、第２空間１８2内へ導くことができる。すなわち、配置面３ｐよりも下側の空気を、配置面３ｐよりも上側に流入させることができる。ここで、第１空間１８1には、回路基板７に取り付けられた電気・電子部品８や電気モータ５等の発熱源が格納されており、第１空間１８1の空気の温度は高くなっている。この昇温した空気を第２空間１８2へ導き、蓋体２に接触させることにより、第２空間１８2へ導いた空気の熱を、蓋体２を通して装置本体１０１の外部へ放熱させる。
【００３５】
図９は、図２のＣ−Ｃ断面図である。図１０は、実施の形態１に係る蓋体の他の例を示す断面図である。まず、図９を用いて、蓋体２の形状について説明する。蓋体２は、ディスクトレイ３の引き出し方向側における外周部が、図９に示すように壁状に形成されている。ディスク１４の回転によってディスク１４の中心部に吸い込まれ、その後、ディスク１４の径方向外側に吐出される第１空間１８1の空気は、この壁状外周部２ｏに当たってディスク１４の周方向へ導かれる。これによって、前記第１空間１８1の空気は、効率よく空気吐出口４０へ集められる。
【００３６】
また、蓋体２の断面形状は、ディスク１４中心部と外周部とでは、外周部の方が前記ディスク１４と蓋体２との間隔が小さくなるように構成される。実施の形態１では、ディスク１４の径方向外側に向かって、前記ディスク１４と蓋体２との間隔が小さくなるように構成される。すなわち、ディスク１４の外周部では、ディスク１４の回転によりディスク１４の径方向外側へ吐出される空気の流路断面積が小さくなる。これによって、光ディスク１４の径方向外側に吐出される空気は、ディスク１４の外周部分で速度が速くなるので、効率よく空気吐出口４０へ集められる。
【００３７】
なお、図９に示す蓋体２は、ディスク１４の径方向外側に向かって、前記ディスク１４と蓋体２との間隔が直線的に変化しているが、図１０に示す蓋体２ａのように、曲線的に変化していてもよい。また、ディスク１４の径方向外側に向かって、前記ディスク１４と蓋体２との間隔が段階的に小さくなるようにしてもよい。
【００３８】
図１１は、図２のＤ−Ｄ断面図である。図１２は、図２のＥ−Ｅ断面図である。ディスクトレイ３には、第２空間１８2の空気を第１空間１８1へ送り込むための空気吐出口４０が複数形成されている。空気吐出口４０は、空気を効率的に第１空間１８1に送り込むため、谷状に形成された導入部４５の谷底部に複数個（この例では４個）設けられる。実施の形態１において、この複数設けられる空気吐出口４０が、空気吐出部４０Ａを構成する。なお、導入部４５の形状は、図１１、図１２に示すものに限定されるものではなく、また、空気吐出口４０が設けられていれば、導入部４５は必ずしも設ける必要はない。
【００３９】
蓋体２には、空気導出通路５０が設けられており、図１１、図１２に示すように、蓋体２を枠体１へ取り付けると、空気導出通路５０が空気吐出口４０を覆うようになる。そして、ディスク１４の回転によりディスク１４の径方向外側へ吐出された空気は、蓋体２の壁状外周部２ｏに当たってから、蓋体２に設けられる空気導出通路５０へ導かれる。この空気は、空気吐出口４０から、第１空間１８1へ流れ込む。
【００４０】
以上、実施の形態１では、差圧生成手段によってディスクの中心部へ積極的に集めた空気を、ディスクの外周部から吐出させることができる。これにより、装置本体内に積極的に空気を循環させ、装置内へ外気を導入しなくとも、効率的に装置本体内の機器を冷却できる。
【００４１】
また、実施の形態１では、差圧生成手段によって生み出された差圧を利用して、ディスクおよびトレイで仕切られる第１空間と第２空間とで空気を循環させる。すなわち、すなわち、ディスクが配置される配置面よりも下側の空気を、前記配置面よりも上側に流入させる。これにより、発熱源が収められる第１空間の熱い空気と、放熱面積の大きい第２空間の冷たい空気とを効果的に循環させることができる。また、第２空間の空気は蓋体との接触面が大きいため、第１空間から循環してきた空気の熱は、効率的に装置内から装置外へ放出され、冷却される。その結果、装置内へ外気を導入しなくとも、装置内の機器を効率的に冷却できる。
【００４２】
（変形例）
実施の形態１の変形例に係るディスク再生装置は、実施の形態１に係るディスク再生装置と略同様の構成であるが、第１空間へ空気を吐出する空気吐出部と、第１空間の空気を吸引する空気吸入部とが、平面視で矩形の装置本体においては略対角線上に位置するようにした点が異なる。他の構成は実施の形態１に係るディスク再生装置と同様なので説明を省略する。なお、「平面視」とは、ディスクの回転軸方向から前記装置本体を見た状態をいう。また、次の説明においては、適宜図１を参照されたい。
【００４３】
図１３は、実施の形態１の変形例に係るディスク再生装置の装置本体を示す平面図である。実施の形態１の変形例に係るディスク再生装置の装置本体１０１ａは、図１３に示すように、平面視で矩形の形状である。装置本体１０１ａが備える枠体１の光ディスク取り出し側（図１３のＥＸ側）における側面には、第１空間１８1の空気を第２空間１８2へ吸引する空気吸入部６１が設けられる。空気導入通路３０ａは空気吸入部６１を覆うように設けられて、ディスク１４の回転によって第１空間１８1の空気をディスク１４の中心部へ導く。
【００４４】
また、ディスクトレイ３には、第２空間１８2の空気を第１空間１８1へ送り込むための空気吐出口４０が複数形成されている。この変形例において、この複数設けられる空気吐出口４０が、空気吐出部４０Ａを構成する。ディスクトレイ３が装置本体１０１ａに引き込まれた状態において装置本体１０１ａを平面視した場合に、空気吐出部４０Ａと前記空気吸入部６１とは、前記装置本体１０１ａの略対角線ＣＬ上に位置するように設けられる。
【００４５】
このような構成によって、空気吐出部４０Ａから第１空間１８1へ送られる空気は、装置本体１０１ａの対角線ＣＬ上を通って第１空間１８1内を流れ、空気吸入部６１から第２空間１８2へ吸引される。このため、第２空間１８2から流れ込んだ空気は、実施の形態１に係る装置本体１０１と比較して、第１空間１８1内をより広い範囲にわたって流れることになる。その結果、より効率的に第１空間１８1内に配置される発熱源である機器を冷却することができる。
【００４６】
以上、実施の形態１の変形例では、第１空間へ空気を吐出する空気吐出部と、第１空間の空気を吸引する空気吸入部とが、平面視で矩形の装置本体においては略対角線上に位置するようにした。これにより、第２空間で冷却された空気は、第１空間の広い範囲にわたって流れるので、より効率的に装置内の機器、特に第１空間内の機器を冷却することができる。
【００４７】
（実施の形態２）
実施の形態２に係るディスク再生装置は、実施の形態１に係るディスク再生装置と略同様の構成であるが、ディスクの中心部と外周部とを連通させる管状の通路を差圧生成手段とし、これを用いて、第１空間から吸引した空気をディスクの中心部へ導く点が異なる。他の構成は実施の形態１に係るディスク再生装置と同様なので説明を省略する。なお、次の説明においては、適宜図１を参照されたい。
【００４８】
図１４は、実施の形態２に係るディスク再生装置の装置本体を示す平面図である。図１５は、図１４のＡ−Ａ断面図である。図１６は、図１４のＢ−Ｂ断面図である。実施の形態２に係るディスク再生装置の装置本体１０１ｂは、蓋体２に空気導入通路３１が設けられている。
【００４９】
図１５、図１６に示すように、実施の形態２に係る空気導入通路３１は、ディスク１４と対向する側に設けられる底部３１Ｂによって、管状の通路を形成する。空気導入通路３１の空気入り口３１ｉは、空気吸入部６０の空気出口６０ｏを覆うようになっている。これにより、第１空間１８1から吸入された空気は、空気導入通路３１の空気入り口３１ｉを通って空気導入通路３１内へ導かれ、ディスク１４の中心部に開口する空気導入通路３１の空気出口３１ｏから、ディスク１４の中心部へ吸引される。この空気はディスク１４の回転によって、その径方向外側へ吐出される。このように、配置面３ｐよりも下側の空気は、配置面３ｐよりも上側に流入する。その後の空気の流れは、実施の形態１およびその変形例で説明した通りなので、説明を省略する。
【００５０】
実施の形態２に係る空気導入通路３１は、ディスク１４と対向する側に設けられる底部３１Ｂによって管状に形成されている。このため、前記底部３１Ｂによって、空気導入通路３１内へ侵入する、ディスク１４と同方向に回転する空気の量を極めて低減することができる。これによって、実施の形態１およびその変形例で必要だった突起部２０（図２等参照）を設けなくとも、ディスク１４の中心部と外周部との差圧を十分に確保して、空気吸入部６０から第１空間１８1内の空気を効率よく吸引することができる。このように、実施の形態２に係る空気導入通路３１は、差圧生成手段として機能する。
【００５１】
図１７（ａ）、図１７（ｂ）は、実施の形態２に係る空気導入通路の構成例を示す説明図である。実施の形態２に係る空気導入通路は、例えば、図１７（ａ）に示す空気導入通路３１ａのように、蓋体２と一体に形成した頂部３１ａＴに、底部３１ａＢを取り付けることで構成することができる。また、図１７（ｂ）に示す空気導入通路３１ｂのように、蓋体２を空気導入通路３１ｂの頂部３１ｂＴと一体に形成するとともに、頂部３１ｂＴを取り付けることで構成することができる。
【００５２】
以上、実施の形態２では、差圧生成手段として、ディスクの中心部と外周部とを連通させる管状の通路を用いる。これによって、ディスクの表面に引きずられて流れる空気が、差圧生成手段である管状の通路内へ流入することを抑制できるので、より効率的に低圧側へ空気を流すことができる。その結果、装置内の空気の循環をさらに促進して、装置内の機器をより効率的に冷却できる。
【００５３】
（実施の形態３）
実施の形態３に係るディスク再生装置は、第１空間側に差圧生成手段を設け、第１空間側からディスクの中央部に空気を吸入させ、ディスク配置部とディスクとの間から、吸入した空気を吐出させる点が異なる。他の構成は実施の形態１に係るディスク再生装置と同様なので説明を省略する。なお、次の説明においては、適宜図１を参照されたい。
【００５４】
図１８は、実施の形態３に係るディスク再生装置の装置本体を示す平面図である。図１９は、図１８のＡ−Ａ断面図である。図２０は、図１８のＸ方向から見た図である。なお、図１８における実線の矢印は、ディスクトレイ３とディスク１４との間を流れる空気を示し、点線の矢印は、第１空間１８1を流れる空気を示す。
【００５５】
実施の形態３に係るディスク再生装置の装置本体１０１ｃは、ディスク１４の回転によりディスク１４の中心部へ空気を吸い込ませる差圧生成手段として、突起部２３を備える。ディスクトレイ３には、第１空間１８1内の空気を吸引する空気吸入部６２（第３の空気吸入部に相当する）が設けられる。この空気吸入部６２は、ディスク１４を前記ディスクトレイ３上に配置したとき、配置したディスク１４の中心部に位置するように設けられる。また、ディスクトレイ３には、ディスク１４の回転によって前記ディスク１４の径方向外側へ吐出される空気を第２空間１８2へ送り出す空気吐出部４１Ａが設けられる。
【００５６】
図１８、図２０に示すように、この突起部２３は、ディスク１４の中心部から径方向外側に向かって直線状に、かつ、ディスク１４の外周部近傍まで設けられる。なお、この例において、突起部２３の断面形状は、実施の形態１で説明した突起部２０（図４参照）と同様に矩形であるが、これに限定されるものではない。
【００５７】
図１９、図２０に示すように、ディスク１４の回転中、この突起部２３は、前記ディスク１４の回転方向（Ｒ方向）側におけるトレイ開口部３ｏの開口部縁部３ｏｔの近傍に位置し、ディスク１４と一定の間隔まで接近する。この動作について説明する。
【００５８】
図２１（ａ）、図２１（ｂ）は、実施の形態３に係る突起部の動作を示す説明図である。いずれの図も、図１８の矢印ＥＸ方向から見た状態を示している。図２１（ａ）は、ディスク１４を配置したディスクトレイ３が、前記装置本体１０１ｃ内に引き込まれた状態を示している。実施の形態３では、突起部２３が電気モータ５に取り付けられている。そして、突起部２３のディスク１４側における端部と、ディスクテーブル１３のディスク１４と接触する面との距離はｔである。
【００５９】
ディスク１４を回転させて、これに記録された情報を読み取る場合、ディスクテーブル１３とクランパ１１とによってディスク１４を狭持する。このため、電気モータ５を図２１（ａ）の矢印Ｕ方向、すなわちディスク１４の方向に移動させ、図２１（ｂ）に示すように、電気モータ５のディスク保持ボス１２を、ディスク１４の中心に穿孔された軸孔と嵌合させる。これにより、突起部２３のディスク１４側における端部と、ディスク１４との間隔がｔとなる。
【００６０】
この状態では、図２１（ｂ）、図１９、図２０に示すように、突起部２３はディスクトレイ３の配置面から突出して、ディスク１４の表面に引きずられる空気が突起部２３によりせき止められる。これにより、突起部２３の光ディスク回転方向側（すなわちディスク１４に引きずられる流れの後流側）においては、ディスク中心部の圧力と外周部との差圧が発生しやすくなる。なお、ディスク中心部の方が、外周部よりも圧力が低くなる。これによって、図１９に示すように、ディスクトレイ３に設けられる空気吸入部６２から、ディスクトレイ３とディスク１４の間に、第１空間１８1内の空気を吸引することができる。これによって、配置面３ｐよりも下側の空気は、配置面３ｐよりも上側に流入する。
【００６１】
図２２は、図１８のＢ−Ｂ断面図である。ディスクトレイ３に設けられる空気吸入部６２から吸引された第１空間１８1の空気は、ディスク１４の回転により、ディスク１４とディスクトレイ３との間から、ディスク１４の径方向外側へ吐出される。そして、図２２に示すように、ディスクトレイ３に設けられた空気吐出部４１Ａから第２空間１８2へ送り出される。第２空間１８2へ送り出された第１空間１８1の昇温した空気は、蓋体２と接触して放熱する。蓋体２へ放熱して冷却された空気は、図１８に示すように、ディスクトレイ３のトレイ開口部３ｏから第１空間１８1へ流れ込み、ピックアップ６や電気モータ５等の発熱源を冷却する。
【００６２】
以上、実施の形態３では、第２空間側に設けた差圧生成手段によってディスクの中心部へ積極的に集めた第２空間の空気を、ディスクの外周部から吐出させる。これにより、装置本体内に積極的に空気を循環させ、効率的に装置内の機器を冷却できる。なお、実施の形態３で説明した冷却構造は単独で用いてもよいが、実施の形態１や実施の形態２で説明した冷却構造と併用してもよい。併用した場合、ディスク再生装置内により積極的な空気の流れを生成できるので、ディスク再生装置内の機器をさらに効率よく冷却できる。
【００６３】
また、実施の形態３によれば、差圧生成手段によって生み出された差圧を利用して、ディスクおよびトレイで仕切られる第１空間と第２空間とで空気を循環させる。すなわち、すなわち、ディスクが配置される配置面よりも下側の空気を、配置面よりも上側に流入させることができる。これにより、発熱源が収められる第１空間の熱い空気と、放熱面積の大きい第２空間の冷たい空気とを効果的に循環させることができる。また、第２空間の空気は蓋体との接触面が大きいため、第１空間から循環してきた空気の熱は、効率的に装置内から装置外へ放出され、冷却される。その結果、装置本体内の機器、特に、発熱源が収められている第１空間内の機器を効率的に冷却できる。
【図面の簡単な説明】
【００６４】
【図１】実施の形態１に係るディスク再生装置の概要を示す全体図である。
【図２】実施の形態１に係るディスク再生装置の装置本体を示す平面図である。
【図３】実施の形態１に係るディスク再生装置の装置本体内における空気の流れを示す模式図である。
【図４】図２のＡ−Ａ断面図である。
【図５】図２の矢印Ｘ方向から見た図である。
【図６】突起部の形成範囲を示す説明図である。
【図７（ａ）】突起部の他の例を示す断面図である。
【図７（ｂ）】突起部の他の例を示す断面図である。
【図８】図２のＢ−Ｂ断面図である。
【図９】図２のＣ−Ｃ断面図である。
【図１０】実施の形態１に係る蓋体の他の例を示す断面図である。
【図１１】図２のＤ−Ｄ断面図である。
【図１２】図２のＥ−Ｅ断面図である。
【図１３】実施の形態１の変形例に係るディスク再生装置の装置本体を示す平面図である。
【図１４】実施の形態２に係るディスク再生装置の装置本体を示す平面図である。
【図１５】図１４のＡ−Ａ断面図である。
【図１６】図１４のＢ−Ｂ断面図である。
【図１７（ａ）】実施の形態２に係る空気導入通路の構成例を示す説明図である。
【図１７（ｂ）】実施の形態２に係る空気導入通路の構成例を示す説明図である。
【図１８】実施の形態３に係るディスク再生装置の装置本体を示す平面図である。
【図１９】図１８のＡ−Ａ断面図である。
【図２０】図１８のＸ方向から見た図である。
【図２１（ａ）】実施の形態３に係る突起部の動作を示す説明図である。
【図２１（ｂ）】実施の形態３に係る突起部の動作を示す説明図である。
【図２２】図１８のＢ−Ｂ断面図である。
【符号の説明】
【００６５】
１  枠体
２、２ａ  蓋体
２ｏ  壁状外周部
３  ディスクトレイ
３ｏ  トレイ開口部
３ｏｔ  開口部縁部
３ｐ  配置面
５  電気モータ
６  ピックアップ
７  回路基板
８  電気・電子部品
１４  ディスク
１８1  第１空間
１８2  第２空間
２０、２１、２２、２３  突起部
３０、３０ａ、３１、３１ａ、３１ｂ  空気導入通路
３０ｔ  空気導入通路縁部
４０  空気吐出口
４０Ａ、４１Ａ  空気吐出部
４５  導入部
５０  空気導出通路
６０、６１、６２  空気吸入部
１００  ディスク再生装置
１０１、１０１ａ、１０１ｂ  装置本体
【図１】
2006107602.tif 000003
【図２】
2006107602.tif 000004
【図３】
2006107602.tif 000005
【図４】
2006107602.tif 000006
【図５】
2006107602.tif 000007
【図６】
2006107602.tif 000008
【図７（ａ）】
2006107602.tif 000009
【図７（ｂ）】
2006107602.tif 000010
【図８】
2006107602.tif 000011
【図９】
2006107602.tif 000012
【図１０】
2006107602.tif 000013
【図１１】
2006107602.tif 000014
【図１２】
2006107602.tif 000015
【図１３】
2006107602.tif 000016
【図１４】
2006107602.tif 000017
【図１５】
2006107602.tif 000018
【図１６】
2006107602.tif 000019
【図１７（ａ）】
2006107602.tif 000020
【図１７（ｂ）】
2006107602.tif 000021
【図１８】
2006107602.tif 000022
【図１９】
2006107602.tif 000023
【図２０】
2006107602.tif 000024
【図２１（ａ）】
2006107602.tif 000025
【図２１（ｂ）】
2006107602.tif 000026
【図２２】
2006107602.tif 000027